(57)【特許請求の範囲】
【請求項１】
底面に多数の透孔を密状に形成された上面開放容器を特定位置にて水平状に支持するものとした容器支持機構と、前記透孔にその下側から上方へ向けて挿通される縦向き支持棒の多数を植設され前記縦向き支持棒の先端が水平支持面をなした棒群固定部材を上下変位させるものとした棒群上下駆動機構と、荷体供給位置に単体の荷体を順次に供給することにより前記上面開放容器近傍の特定水平面上に特定数の前記荷体からなる荷体列を形成するものとした荷体整列機構と、該荷体整列機構により整列された特定数の荷体を、前記縦向き支持棒を前記透孔に挿通されて前記上面開放容器の開口面を越えた高さに位置された前記水平支持面上の特定位置に押し移動させるものとした荷体押圧移動機構とを備え、一方前記水平支持面を平面視四角形になすと共に、該四角形のうちの１つの辺部を除いた外周囲の近傍をなす棒群固定部材箇所に前記縦向き支持棒よりも長い縦向き案内棒を植設し、他方前記荷体押圧移動機構が前記１つの辺部を経て前記水平支持面上に荷体を押し移動させる構成としたことを特徴とする荷体整列収容装置。
【請求項２】
底面に多数の透孔を密状に形成された１つの上面開放容器を特定位置に搬入し該特定位置で水平状に支持し該特定位置から搬出するものとした容器搬送支持機構と、前記透孔にその下側から上方へ向けて挿通される縦向き支持棒の多数を植設され前記縦向き支持棒の先端が水平支持面をなした棒群固定部材を上下変位させるものとした棒群上下駆動機構と、荷体供給位置に単体の荷体を順次に供給することにより、特定高さ位置に上昇された前記上面開放容器近傍の特定水平面上に特定数の前記荷体からなる荷体列を形成するものとした荷体整列機構と、該荷体整列機構により整列された特定数の荷体を、前記縦向き支持棒を前記透孔に挿通されて前記上面開放容器の開口面を越えた高さに位置された前記水平支持面上の特定位置に押し移動させるものとした荷体押圧移動機構とを備え、一方前記水平支持面を平面視四角形になすと共に、該四角形のうちの１つの辺部を除いた外周囲の近傍をなす棒群固定部材箇所に前記縦向き支持棒よりも長い縦向き案内棒を植設し、他方前記荷体押圧移動機構が前記１つの辺部を経て前記水平支持面上に荷体を押し移動させる構成としたことを特徴とする荷体整列収容装置。
【発明の詳細な説明】
【０００１】
【発明の属する技術分野】
本発明は、容器入り豆腐などの荷体を上面開放容器内に整列させた状態で収容するものとした荷体整列収容装置に関する。
【０００２】
【従来の技術】
豆腐の製造工場などでは、一丁毎或いは半丁毎の容器入り豆腐を上面開放容器内に整列した状態に収容する処理を繰り返し行っている。
【０００３】
この処理を機械的に行うことは極めて有益であり、これを実現させるための装置として例えば次のようなものが存在しているのであって、即ち、複数の容器入り豆腐を受け板上に整列させた後、この受け板を上面開放容器上に移動させて傾斜させ、受け板のみを上面開放容器上から外方へ引き抜くように処理するもの（前者）、或いは、水平支持面上に複数の容器入り豆腐を配列させた後、これら容器入り豆腐のそれぞれを吸盤で同時に吊り上げて上面開放容器内へ移動させるように処理するもの（後者）などがある。
【０００４】
【発明が解決しようとする課題】
上記した在来の装置では、次のような問題点があるのであって、即ち、前者では荷体を容器内に密状に収容させるのが難しいのであり、また後者では吸盤内の真空圧が破壊されることにより、容器入り豆腐がその移動中に落下する虞などがあるのである。
本発明は、上記問題点を簡易に解消するものとした新規な構造の荷体整列収容装置を提供することを目的とする。
【０００５】
【課題を解決するための手段】
上記目的を達成するため、本発明に係る荷体整列収容装置では、請求項１に記載したように、底面に多数の透孔を密状に形成された上面開放容器を特定位置にて水平状に支持するものとした容器支持機構と、前記透孔にその下側から上方へ向けて挿通される縦向き支持棒の多数を植設され前記縦向き支持棒の先端が水平支持面をなした棒群固定部材を上下変位させるものとした棒群上下駆動機構と、荷体供給位置に単体の荷体を順次に供給することにより前記上面開放容器近傍の特定水平面上に特定数の前記荷体からなる荷体列を形成するものとした荷体整列機構と、該荷体整列機構により整列された特定数の荷体を、前記縦向き支持棒を前記透孔に挿通されて前記上面開放容器の開口面を越えた高さに位置された前記水平支持面上の特定位置に押し移動させるものとした荷体押圧移動機構とを備え、一方前記水平支持面を平面視四角形になすと共に、該四角形のうちの１つの辺部を除いた外周囲の近傍をなす棒群固定部材箇所に前記縦向き支持棒よりも長い縦向き案内棒を植設し、他方前記荷体押圧移動機構が前記１つの辺部を経て前記水平支持面上に荷体を押し移動させる構成となす。
【０００６】
この発明の作用について説明すると、前記容器支持機構は空の上面開放容器を特定位置で水平状に支持し、この状態の下で、棒群固定部材が上方へ変位して各縦向き支持棒が前記各透孔に挿通されるのであり、これにより多数の縦向き支持棒の先端は前記上面開放容器の開口面を越えた高さに前記水平支持面を形成するものとなる。次に荷体押圧移動機構が荷体整列機構により整列された特定数の荷体をその整列状態を崩すことなく前記水平支持面上に押し移動する作動を繰り返すのであり、これにより複数の荷体が前記水平支持面上に単列或いは複数列に整列された状態で位置するものとなる。この後、棒群固定部材が下方へ変位して前記縦向き支持棒が前記透孔から抜け出るのであり、これにより前記水平支持面上の複数の荷体は上面開放容器内に比較的密状に収容された状態となる。
【０００７】
上記発明は、次のように変更することができるのであって、即ち、請求項２に記載したように、底面に多数の透孔を密状に形成された１つの上面開放容器を特定位置に搬入し該特定位置で水平状に支持し該特定位置から搬出するものとした容器搬送支持機構と、前記透孔にその下側から上方へ向けて挿通される縦向き支持棒の多数を植設され前記縦向き支持棒の先端が水平支持面をなした棒群固定部材を上下変位させるものとした棒群上下駆動機構と、荷体供給位置に単体の荷体を順次に供給することにより、特定高さ位置に上昇された前記上面開放容器近傍の特定水平面上に特定数の前記荷体からなる荷体列を形成するものとした荷体整列機構と、該荷体整列機構により整列された特定数の荷体を、前記縦向き支持棒を前記透孔に挿通されて前記上面開放容器の開口面を越えた高さに位置された前記水平支持面上の特定位置に押し移動させるものとした荷体押圧移動機構とを備え、一方前記水平支持面を平面視四角形になすと共に、該四角形のうちの１つの辺部を除いた外周囲の近傍をなす棒群固定部材箇所に前記縦向き支持棒よりも長い縦向き案内棒を植設し、他方前記荷体押圧移動機構が前記１つの辺部を経て前記水平支持面上に荷体を押し移動させる構成となす。
【０００８】
これによれば、空の上面開放容器は特定位置に機械的に搬入され、また該上面開放容器内に複数の荷体が収容された後には機械的に他所へ搬出されるものとなる。その他の点は請求項１記載の発明に準ずる。
【０００９】
而して、上記各発明で水平支持面を平面視四角形になすと共に、該四角形のうちの１つの辺部を除いた外周囲の近傍をなす棒群固定部材箇所に前記縦向き支持棒よりも長い縦向き案内棒を植設し、且つ、前記荷体押圧移動機構が前記１つの辺部を経て前記水平支持面上に荷体を押し移動させる構成となすのであり、これにより複数の荷体が前記荷体押圧移動機構により前記水平支持面上で押し移動される際、それら荷体の何れかが前記水平支持面の外方へ向けて移動しようとしたとき、縦向き案内棒がその荷体の移動を係止するものとなる。
【００１０】
【発明の実施の形態】
図１〜図１３は本発明に係る荷体整列収容装置に関するもので、図１は全体の概要を示す側面図、図２は同様な平面図、図３は図１のｘ−ｘ部を示す断面図、図４は棒群固定部材を上昇させた状態を示す前面視説明図、図５は棒群固定部材を上昇させた状態を示す側面視説明図、図６は上面開放容器を示す斜視図、図７は荷体整列機構を示す平面図、図８は荷体整列収容部の要部を示す斜視図、図９は荷体整列機構による荷体の整列処理状況を示す前面視説明図、図１０は荷体整列収容部に空の上面開放容器が搬入された状態を示す説明図、図１１は荷体整列収容部に搬入された空の上面開放容器が上昇された状態を示す説明図、図１２は荷体押圧移動機構が一列の荷体を押し入れた状態を示す説明図、図１３は荷体押圧移動機構が二列の荷体を押し入れた状態を示す説明図である。
【００１１】
図１及び図２に示すように、本発明に係る荷体整列収容装置は、容器順次供給部１、荷体整列収容部２、ローラコンベア部３、容器段重ね処理部４及び容器積載部５からなっている。
【００１２】
先ず、容器順次供給部１について説明する。
前後方向ｆ１へ長い装置フレーム６の始端部６ａの特定高さ箇所に設けた容器係止保持部７と、この容器係止保持部７の下方で装置フレーム６の巾中央箇所に設けた容器上下駆動部８とを備えている。
【００１３】
前記容器係止保持部７は装置フレーム６の左右方向ｆ２各側の同一高さ位置に前後一対の係止爪９、９を備えたものとなされており、各係止爪９は装置フレーム６の巾中央側へ向けて任意時に張り出し作動されるように形成されている。
前記容器上下駆動部８は装置フレーム６に固定された伸縮シリンダ装置１０と、該シリンダ装置１０の出力ロッドの先端に固定された方形状の支持部材１１からなる。この際、支持部材１１は図１に示した最下位置ｐ１から前記係止爪９、９よりも高い位置まで上昇されるようになされている。
【００１４】
前記荷体整列収容部２について図１〜図８を参照して説明する。
図１及び図２に示すように、容器搬送支持機構１２、棒群上下駆動機構１３、荷体整列機構１４及び荷体押圧移動機構１５を備えている。
【００１５】
容器搬送支持機構１２は本体フレーム６の始端部６ａから凡そ該本体フレーム６の前後方向ｆ１長さ中央点に至る範囲に渡って装設されたもので、図３に示すように本体フレーム６の左右各側に上下一対の水平案内棒１６、１６を設けると共に、左右の水平案内棒１６、１６に左右一対の摺動部材１７、１７を前後移動自在に案内させ、これら一対の摺動部材１７、１７を同体状に前後変位させるための図示しない適宜な前後駆動機構を形成すると共に、左右の各摺動部材１７にはシリンダ部１８と、該シリンダ部１８により本体フレーム６の左右方向へ出入り変位されるものとした係止部材１９とを設けたものとなされている。
【００１６】
棒群上下駆動機構１３は前記容器順次供給部１の前側で前記係止部材１９よりも下方に配置されたもので、装置フレーム６に固定された伸縮シリンダ装置２０と、該シリンダ装置２０の出力ロッド先端に固定された方形状の支持部材２１と、該支持部材２１に４本の支持棒２２を介して支持され上面に多数の縦向き支持棒２３をこれの先端が平面視四角形の水平支持面ａを形成するように密状に植設されると共に図４及び図５に示すように前記水平支持面ａの平面視四角形のうち前側の辺部を除く外周の近傍に前記縦向き支持棒２３よりも数ｍｍ〜数ｃｍ程度高くなされた縦向き案内棒２３ａを単列状に植設されてなる棒群固定部材２４とで形成されている。
【００１７】
この際、棒群固定部材２４は図１中の初期位置ｐ２から最上位置ｐ３の間で上下変位されるものとなされており、また縦向き支持棒２３及び縦向き案内棒２３ａは図６Ａに示す上面開放容器Ｔの高さよりも長くなされると共に該上面開放容器Ｔの底面に形成された透孔ｂに挿通される径となされている。
【００１８】
荷体整列機構１４は前記棒群上下駆動機構１３の前側で前記棒群固定部材２４の最上位置ｐ３と関連した位置に装設されたもので、図２及び図７に示すように本体フレーム６の左右各側にベルト車２５ａ、２５ｂを設け、これらベルト車２５ａ、２５ｂ間に方形板を連鎖した無端状の搬送ベルト２６を掛け回し、該搬送ベルト２６の上張り部の上面を搬送面ｃとなすと共に該搬送面ｃの左端部を搬送始端ｃ１に、そして右端部を搬送終端ｃ２となし、さらに前記搬送面ｃの搬送方向ｆ３長さ途中に荷体ストッパー２７を設けたものとなされている。
【００１９】
該荷体ストッパー２７は、図７及び図８に示すように、前記搬送面ｃの巾方向の各外側の本体フレーム６特定箇所に起立支持部材２８、２８を設け、これら起立支持部材２８、２８の上部間に支点軸２９を回動自在に架設し、該支点軸２９の略全巾箇所に鈎状の係止板３０を固定すると共に、前記支点軸２９の一端部にアーム部材３１を固着し、一方では前側の前記起立支持部材２８と同体状に伸縮シリンダ装置３２を設け、該シリンダ装置３２の出力ロッド先端を前記アーム部材３１の先端部に軸着し、該シリンダ装置３２が伸張作動したときに係止板３０の縦向き面部３０ａの下端縁が前記搬送面ｃに近接し、前記伸縮シリンダ装置３２が短縮作動したときに前記縦向き面部３０ａが前記搬送面ｃから上方へ離反する構成となされている。
【００２０】
荷体押圧移動機構１５は図１及び図２などに示すように棒群上下駆動機構１３及び荷体整列機構１４の上側に配設したもので、本体フレーム６の前後方向ｆ１長さ途中の２箇所に左右向き枠部材３３ａ、３３ｂを上方への張り出し状に固定し、これら左右向き枠部材３３ａ、３３ｂのそれぞれの縦向き部材間に図８に示す左右一対の前後向き案内棒３４、３４を架設すると共に、これら前後向き案内棒３４、３４に摺動部材３５を前後方向ｆ１の移動自在に装着し、本体フレーム６の始端部６ａ側の左右向き枠部材３３ａと該摺動部材３５との間で、且つ前記一対の前後向き案内棒３４、３４間に伸縮シリンダ装置３６を架設して、前記案内棒３４、３４に固定された結合部材ｇで補強し、該シリンダ装置３６の伸縮作動により前記摺動部材３５が前後移動されるようになし、また前記摺動部材３５の前部には縦向き伸縮シリンダ装置３７を固定すると共に、該シリンダ装置３７の出力ロッド３７ａ下端に左右向きの押圧部材３８を固定するほか、前記搬送ベルト２６と、前記棒群固定部材２４の水平支持面ａの前縁部との間に、前記搬送面ｃと略同一高さの滑り案内面ｄを具備した案内板３９を本体フレーム６と同体状に固設したものとなされている。
【００２１】
この際、押圧部材３８は図５に示すように、下端に前記本体フレーム６の始端部６ａ側へ向けて張り出した荷体当接部ｅを有しており、また図８に示すように、案内板３９は前記滑り案内面ｄの左右端部を上方へ曲げて延長させた前後向きの縦向き案内面ｄ１、ｄ１を具備したものとなされており、また伸縮シリンダ装置３７は出力ロッドの左右に押圧部材３８を上下方向へ案内するための案内ロッドｊ、ｊを備えたものとなされている。
【００２２】
前記ローラコンベア部３について説明すると、図１及び図２に示すように、本体フレーム６の前記荷体整列収容部２から前方へ向け前記容器搬送支持機構１２の係止部材１６と略同一高さ位置の左右に、左右向き軸回りへ回転される多数の駆動ローラ４０を列設すると共に、これら駆動ローラ４０に回転力を付与するための図示しないモータを設けた構成となされている。この際、前記荷体整列収容部２内に位置した複数の駆動ローラ４０は容器搬送支持機構１２の前部と上下配置状に重なるように配置されており、また各駆動ローラ４０は周面上部が前方へ変位するように回転されるものとなされている。
【００２３】
前記容器段重ね処理部４について説明すると、図１及び図２に示すように前記ローラコンベア部３の前部箇所に装設されているもので、前記ローラコンベア部３前部の駆動ローラ４０上に位置した上面開放容器Ｔ１の左右各側部を把握して該容器Ｔ１を上下変位させるものとした把持手段４１を設けると共に、該把持手段４１により段重ねされた上面開放容器Ｔ１、Ｔ群を前側へ一定距離だけ送り込むための適宜な前送り手段４２を設けたものとなされている。
【００２４】
前記容器積載部５について説明すると、図１及び図２に示すように前記容器段重ね処理部４の前側に装設されているもので、比較的高い枠構造体４３を形成し、該枠構造体４３の上部及び下部に、前記容器段重ね処理部４で段重ね処理された複数の上面開放容器Ｔ１、Ｔ群を上下変位させるための把持手段４４ａ、４４ｂを設けたものとなされている。
【００２５】
次に上記した本発明装置の使用例及び作動の一例を説明する。ここでは樹脂容器内に一丁の方形状豆腐を密封した容器入り豆腐ｗを上面開放容器Ｔ内に単層状に整列させて収容するものとする。
本発明装置の全体を制御するものとなされた図示しない制御盤の作業開始スイッチを入り操作しない状態では、容器順次供給部１の左右の係止爪９、９は本体フレーム６の左右外方向へ変位した状態となっており、この状態の下で図６Ａに示す空の上面開放容器Ｔ１、Ｔを図１に示す初期位置ｐ１の支持部材１１上に載置して段重ね状に積み上げる。
【００２６】
この後、前記作業開始スイッチを入り操作するのであり、これに関連して以下の処理が自動的に実施される。
先ず、容器上下駆動部８が支持部材１１に載置された段重ね状の上面開放容器Ｔ１、Ｔ群を上昇させるのであり、この上昇により下から２番目の上面開放容器Ｔが係止爪９、９と正対した状態となされ、このとき、該係止爪９、９が本体フレーム６の巾中央へ向けて変位され、当該２番目の上面開放容器Ｔの左右側面壁の凹み内に係入する。この係入が行われた後、支持部材１１はさらに降下変位されて最下位の上面開放容器Ｔ１のみを降下変位させる。
【００２７】
そして、該最下位の上面開放容器Ｔ１が容器搬送支持機構１２の左右の係止部材１９、１９と正対したとき、該係止部材１９、１９が本体フレーム６の左右外方に変位した状態の初期位置から本体フレーム６の巾中央へ向けて変位され、当該最下位の上面開放容器Ｔ１の左右側面壁の図６Ａに示す把手孔ｈ内に係入して該容器Ｔ１を支持するのであり、これにより容器順次供給部１から１つの上面開放容器Ｔ１が容器搬送支持機構１２に供給された状態となる。この後、該支持部材１１はさらに降下して初期位置ｐ１に復する。
【００２８】
次に左右の係止部材１９、１９が摺動部材１７、１７と共に前方へ移動されるのであり、これにより左右の係止部材１９、１９に支持された上面開放容器Ｔ１は図１に示す初期位置ｐ２に位置している棒群固定部材２４の真上に移動されて停止保持され、図１０に示す状態となされる。
【００２９】
この停止保持に関連して支持部材２１が上昇され、この上昇過程で、各縦向き支持棒２３が真上に位置した上面開放容器Ｔ１の底面の透孔ｂ内に下方から挿入され、この挿入がほぼ終了した時点で、左右の係止部材１９、１９が初期位置に復帰され、これにより該上面開放容器Ｔ１は棒群固定部材２４に支持された状態となる。この後も、支持部材２１は上昇されて、棒群固定部材２４及び該固定部材２４に支持された上面開放容器Ｔ１を図１に示す最上位置ｐ３まで上昇させた態となし、ここで一時停止される。この際、多数の縦向き支持棒２３の先端で形成される水平支持面ａは棒群固定部材２４に支持された上面開放容器Ｔ１の上面開口高さよりも高く位置される。
【００３０】
この作動の一方では、荷体整列機構１４の搬送始端ｃ１の近傍に予め用意された多数の直方体状の容器入り豆腐ｗを１つづつ該搬送始端ｃ１に供給するのであり、これにより該搬送始端ｃ１に供給された容器入り豆腐ｗは搬送面ｃに支持されてその搬送終端ｃ２へ向けて移動される。
【００３１】
搬送面ｃで搬送された容器入り豆腐ｗは図８に示すように搬送面ｃに近接された係止板３０の縦向き面部３０ａに図９に示すように衝接して、その搬送方向ｆ３移動を規制される。この規制状態でも搬送面ｃは送り移動され続けるため、搬送面ｃで次々と送られてくる各容器入り豆腐ｗは先に送られて縦向き面部３０ａで係止された容器入り豆腐ｗの後端面に衝接してその搬送方向ｆ３移動を規制されるのであり、このように搬送面ｃで容器入り豆腐ｗが５つ搬送されると、図９に示すように荷体ストッパ２７の搬送方向ｃ上流側の搬送面ｃ上に５つの容器入り豆腐ｗが搬送方向の一列状に整列された状態となり、この整列時点で搬送ベルト２６の送り移動は一時停止される。
【００３２】
該一時停止の下で伸縮シリンダ装置３２が短縮作動し、これに連動して前記縦向き面部３０ａが上方へ変位し、搬送面ｃ上で整列されている最前の容器入り豆腐ｗから離反するのであり、次に荷体押圧移動機構１５の押圧部材３８が縦向き伸縮シリンダ装置３７の伸張作動により、図１１に示す初期位置ｐ４から下方へ変位され、次に伸縮シリンダ装置３６の短縮作動により本体フレーム６の始端部６ａ側へ向けて水平移動される。この水平移動の過程で、押圧部材３８の荷体当接部ｅが搬送面ｃ上で整列された５つの容器入り豆腐ｗの本体フレーム６始端部６ａ側の側面に当接し、これら容器入り豆腐ｗを搬送面ｃ及び滑り案内面ｄ上を経てそれらの整列状態を崩すことなく押し移動させ、さらに縦向き支持棒２３の先端で形成された水平支持面ａを経て図１２に示すように該水平支持面ａ上の最前部ｐ５に位置させる。
【００３３】
この際、水平支持面ａの左右方向ｆ２の側端縁近傍の図４に示す縦向き案内棒２３ａは水平支持面ａ上を押し移動される容器入り豆腐ｗの左右方向ｆ２への脱落を阻止する。
【００３４】
次に押圧部材３８は伸縮シリンダ装置３６及び縦向き伸縮シリンダ装置３７の作動により図１１に示す初期位置ｐ４に復帰され、また荷体ストッパ２７の縦向き面部３０ａも伸縮シリンダ装置３２の伸張作動により図８に示す初期位置に復帰されるのであり、これら押圧部材３８や縦向き面部３０ａの復帰に関連して再び搬送ベルト２６の送り移動が開始される。
【００３５】
この搬送ベルト２６の送り移動中に、再び荷体整列機構１４の搬送始端ｃ１に容器入り豆腐ｗを供給するのであり、これにより先と同様に荷体ストッパ２７の搬送方向ｆ３上流側の搬送面ｃ上に５つの容器入り豆腐ｗが搬送方向ｆ３へ整列された状態となる。この整列に関連して、押圧部材３８が先と同様にこのように整列された５つの容器入り豆腐ｗを図１３に示すように押し移動させ、２回目の容器入り豆腐ｗ列を水平支持面ａの最前部に位置させると共に１回目の容器入り豆腐ｗ列を水平支持面ａの前後方向中央部ｐ６に位置させる。
【００３６】
この後、先に準じた荷体整列装置１４の作動がもう一回行われるのであり、これにより押圧部材３８は３回目に整列された５つの容器入り豆腐ｗを先と同様に押し移動させ、図５に示すように、３回目の容器入り豆腐ｗ列を水平支持面ａの最前部に、２回目の容器入り豆腐ｗ列を水平支持面ａの前後方向中央部ｐ６に、そして１回目の容器入り豆腐ｗ列を水平支持面ａの最奥部ｐ７に位置させるものとなる。
この際、水平支持面ａの本体フレーム６始端部６ａ側の側端縁近傍の図５に示す縦向き案内棒２３ａは、水平支持面ａ上を押し移動される容器入り豆腐４の本体フレーム６始端部６ａ側への脱落を阻止する上で寄与する。
【００３７】
次に押圧部材３８や縦向き面部３０ａが図８に示すようにそれぞれの初期位置に復帰されて、搬送ベルト２６は再び送り移動される。また、支持部材２１が降下を開始され、これに連動して、縦向き支持棒２３上に複数の容器入り豆腐ｗを載置された棒群固定部材２４や、これに支持された上面開放容器Ｔ１が同体状に降下される。
【００３８】
この支持部材２１などの降下中、棒群固定部材２４に支持された上面開放容器Ｔ１の左右側面壁が左右の係止部材１９、１９と再び正対したとき、初期位置のこれら係止部材１９、１９が本体フレーム６の巾中央へ向けて変位され、該上面開放容器Ｔ１の左右側面壁の把手孔ｈ、ｈ内に係入するのであり、これにより該上面開放容器Ｔ１は支持部材２１上でそれら係止部材１９、１９に支持された状態となる。
【００３９】
この支持の後にも、支持部材２１は漸次に降下されるのであり、従って、各縦向き支持棒２３や各縦向き案内棒２３ａは上面開放容器Ｔ１の透孔ｂから漸次に抜け出るものとなり、この作動の進行に伴って、縦向き支持棒２３の水平支持面ａ上の複数の容器入り豆腐ｗは整列状態を崩されることなく該上面開放容器Ｔ１内に漸次に降下され、これら縦向き支持棒２３が完全に抜け出たときには、その上面開放容器Ｔ１の底面に達するのであり、これにより複数の容器入り豆腐ｗは図６Ｂに示すように上面開放容器Ｔ１内に整列状態で密状に収容された状態となる。なお、棒群固定部材２４や支持部材２１はその初期位置ｐ２まで降下して次の作動に備える。
【００４０】
こうして容器入り豆腐ｗの収容された後の上面開放容器Ｔ１を支持するものとなった係止部材１９、１９は、支持部材２１などがその初期位置ｐ２に達した後、左右の摺動部材１７、１７と共にさらに前方へ移動されて、その上面開放容器Ｔ１をローラコンベア部３における本体フレーム６始端部６ａ側の駆動ローラ４０上に位置させ、ここで本体フレーム６の左右外側へ変位されてその上面開放容器Ｔ１を解放する。次に駆動ローラＴ１がこのように位置された上面開放容器Ｔ１をローラコンベア部３の前端部ｐ８まで移動させ、ここで停止させる。
【００４１】
一方、該ローラコンベア部３における本体フレーム６始端部６ａ側でその上面開放容器Ｔ１を解放した後の左右の係止部材１９、１９は摺動部材１７、１７と共に本体フレーム６始端部６ａ側へ向けて移動され容器順次供給部１内の初期位置ｐ１に復帰される。
【００４２】
以後、容器順次供給部１及び荷体整列収容部２は上記した作動を繰り返すのであり、これにより複数の容器入り豆腐ｗの収容された上面開放容器Ｔは次々とローラコンベア部３に送り出されるものとなり、またローラコンベア部３はこのように送り出された上面開放容器Ｔを次々とその前端部ｐ８に搬送するものとなる。
【００４３】
ローラコンベア部３の前端部ｐ８に搬送されてきた最初の上面開放容器Ｔ１は容器段重ね処理部４の左右の把持手段４１、４１が把持して一定距離だけ持ち上げ、この持ち上げられた上面開放容器Ｔ１の下側となるローラコンベア部３前端部ｐ８上に第２番目の上面開放容器Ｔが到達すると、把持手段４１が先に持ち上げた上面開放容器Ｔ１を降下させて前記ローラコンベア部３前端部ｐ８上の前記第２番目の上面開放容器Ｔ上に段重ね状に載せるのであり、この段重ね処理を例えば４回、繰り返すことにより前記ローラコンベア部３前端部６ａ上に５つの上面開放容器Ｔ１、Ｔが段重ねされた状態となる。
この後、前送り手段４２がこのように段重ねされた上面開放容器ｔ１、Ｔ群を容器積載部５内に押し移動させる。
【００４４】
容器積載部５では、下側の把持手段４４ｂがこのように押し移動された段重ね状の上面開放容器Ｔ１、Ｔ群を一時的に支持した後に適当距離だけ押し上げ、この押上げ状態で上側の把持手段４４ａがその上面開放容器Ｔ１、Ｔ群の最下部を把持して支持する。
【００４５】
次に下側の把持手段４４ｂが、前記容器段重ね処理部４から押し移動された第２番目の上面開放容器Ｔ１、Ｔ群を先と同様に支持して再び押し上げて当該第２番目の上面開放容器Ｔ１、Ｔ群の上面に、上側の把持手段４４ａにより先に支持されている最初の上面開放容器Ｔ１、Ｔ群の下面を段重ね状に当接させて、さらに一定距離だけ押し上げ、この押上げ状態の下で、上側の把持手段４４ａが下側の把持手段４４ｂにより支持されている全ての上面開放容器Ｔ１、Ｔ群を支持するという処理を適当回数繰り返すのであり、これにより上側の把持手段４４ｂはこの回数と同じ数の上面開放容器Ｔ１、Ｔ群を支持した状態となる。
【００４６】
この後、前記容器段重ね処理部４から容器積載部５へ新たに送り込まれた上面開放容器Ｔ１、Ｔ群を先と同様に支持したとき、これに関連して、上下の把持手段４４ａ、４４ｂが連係作動し、上側の把持手段４４ａで既に支持されている上面開放容器Ｔ１、Ｔ群を、先に新たに送り込まれて下側の把持手段４４ａで支持されている上面開放容器Ｔ１、Ｔ群の上面に段重ね状に載置する。
そして最後は下側の把持手段４４ｂが降下して全ての上面開放容器Ｔ１、Ｔ群を床面近傍まで降下させ、予め容器積載部５内の特定位置に用意されている図示しない台車上に載せる。
なお、上面開放容器Ｔ１、Ｔ群を載置された後の台車は作業者が引き出し、代わりに空の台車を容器積載部５内の同じ位置に押し込むようにする。
上記したローラコンベア部３、容器段重ね処理部４及び容器積載部５における一連の作動及び処理は以後、繰り返して実施される。
【００４７】
上記実施例において、容器段重ね処理部４及び容器積載部５は任意に変形して差し支えないのであり、必要ないときは省略することも差し支えない。
さらには容器順次供給部１、容器段重ね処理部４及び容器積載部５を省略すると共に容器搬送支持機構１２に代えて、該機構１２の棒群固定部材の初期位置ｐ２と同一の位置に上面開放容器Ｔを上方への離反変位自在に支持するものとした容器支持機構を設けた構成となすことも差し支えない。この場合、前記容器支持機構の容器支持位置ｐ２への上面開放容器Ｔの搬入及び搬出は作業者が行うか或いは他の適宜な機構に行わせることが必要となるのであるが、上面開放容器Ｔ内への容器入り豆腐ｗの収容は既述と同様に行われる。
【００４８】
【発明の効果】
上記した本発明によれば次のような効果が得られるのである。
凡そ簡易な機構により上面開放容器内に複数の荷体（容器入り豆腐など）を整列して密状に収容させることができ、また荷体移動において吸盤を利用しないため真空圧の消失による荷体落下などの事故を皆無となすことができる。
【００４９】
次に、空の上面開放容器が荷体整列収容装置の荷体収容場所まで機械的に搬入され或いは荷体整列収容装置から他所へ機械的に搬出されるようになるため、上面開放容器の取扱いの手間が軽減され、労力少なく荷体を収容させることができる。
【００５０】
とりわけ、多数の縦向き支持棒の先端で形成された水平支持面上において複数の荷体が荷体押圧移動機構により押し移動されるとき、これら荷体が前記水平支持面の外周近傍の縦向き案内棒により前記水平支持面の外方へ外れるのを阻止されるため、荷体が前記水平支持面外方へ落下して損傷する事態を効果的に防止することができる。
【図面の簡単な説明】
【図１】  本発明に係る荷体整列収容装置全体の概要を示す側面図である。
【図２】  前記荷体整列収容装置全体の概要を示す平面図である。
【図３】  図１のｘ−ｘ部を示す断面図である。
【図４】  前記荷体整列収容装置の棒群固定部材を上昇させた状態を示す前面視説明図である。
【図５】  前記棒群固定部材を上昇させた状態を示す側面視説明図である。
【図６】  前記荷体整列収容装置で処理される上面開放容器に係り、Ａは空の状態を示しＢは荷体（容器入り豆腐）の収容された状態を示す図である。
【図７】  前記荷体整列収容装置の荷体整列機構を示す平面図である。
【図８】  前記荷体整列収容部の要部を示す斜視図である。
【図９】  前記荷体整列機構による荷体の整列処理状況を示す前面視説明図である。
【図１０】  前記荷体整列収容部に空の上面開放容器が搬入された状態を示す説明図である。
【図１１】  前記荷体整列収容部に搬入された空の上面開放容器が上昇された状態を示す説明図である。
【図１２】  前記荷体整列収容部の荷体押圧移動機構が一列の荷体を押し入れた状態を示す説明図である。
【図１３】  前記荷体押圧移動機構が二列の荷体を押し入れた状態を示す説明図である。
【符号の説明】
１２  容器搬送支持機構（容器支持機構）
１３  棒群上下駆動機構
１４  荷体整列機構
１５  荷体押圧移動機構
２３  縦向き支持棒
２３ａ  縦向き案内棒
２４  棒群固定部材
Ｔ、Ｔ１  上面開放容器
ａ  水平支持面
ｂ  透孔
ｃ１  搬送始端（荷体供給位置）
ｗ  容器入り豆腐（荷体）
【図１】
0003668873.tif 000002
【図２】
0003668873.tif 000003
【図３】
0003668873.tif 000004
【図４】
0003668873.tif 000005
【図５】
0003668873.tif 000006
【図６】
0003668873.tif 000007
【図７】
0003668873.tif 000008
【図８】
0003668873.tif 000009
【図９】
0003668873.tif 000010
【図１０】
0003668873.tif 000011
【図１１】
0003668873.tif 000012
【図１２】
0003668873.tif 000013
【図１３】
0003668873.tif 000014